(57)【特許請求の範囲】
【請求項１】
燃焼室の気密保持を行うためのコンプレッションリングが装着されるコンプレッションリング溝と、シリンダ内壁面の余剰オイルを掻き落とすためのオイルリングが装着されるオイルリング溝と、前記コンプレッションリング及び前記オイルリングの両者の役割をサポートするためのサポートリングが装着されるサポートリング溝とが外周に設けられる円盤状のランド部と、
前記ランド部の外周に沿って下方に延出されるスカート部を含む筒状部と、
を備えた内燃機関のピストンであって、
前記サポートリング溝及び前記オイルリング溝の少なくとも一方の溝内に、前記筒状部外側の前記ランド部の下面側と連通するオイル排出孔が形成され、
前記オイル排出孔は、少なくとも前記サポートリング溝に形成されるものであり、
前記サポートリング溝の下側内壁面からの前記オイル排出孔の開口幅は、前記サポートリング溝の溝幅よりも小となるように設定されていることを特徴とする内燃機関のピストン。
【請求項２】
請求項１に記載の内燃機関のピストンにおいて、
前記ランド部の下面には、前記サポートリング溝及び前記オイルリング溝のうち前記オイル排出孔が形成される溝と連通する縦溝が形成され、該縦溝の形成により前記オイル排出孔が形成されることを特徴とする内燃機関のピストン。
【請求項３】
請求項２に記載の内燃機関のピストンにおいて、
前記オイル排出孔は、前記サポートリング溝及び前記オイルリング溝の両方に形成されるものであり、
前記縦溝は、前記ランド部の下面から前記オイルリング溝及び前記サポートリング溝に跨って形成されることを特徴とする内燃機関のピストン。
【請求項４】
請求項１〜３のいずれか１項に記載の内燃機関のピストンにおいて、
前記サポートリング溝の下側内壁面からの前記オイル排出孔の開口幅は、前記サポートリングの幅よりも小となるように設定されていることを特徴とする内燃機関のピストン。
【発明の詳細な説明】
【技術分野】
【０００１】
本発明は、シリンダ内壁面の余剰オイルを掻き落とすピストンリングが装着されるリング溝内に、その余剰オイルをピストン内側面側に排出するためのオイル排出孔を有する内燃機関のピストンに関するものである。
【背景技術】
【０００２】
リング溝内にオイル排出孔を有するピストンには、例えば特許文献１にて開示されているようなものがある。
具体的には、ピストンは円盤状のランド部と該ランド部の外周に沿って下方に延出されるスカート部を含む筒状部とを備えており、そのランド部の外周には３つのリング溝が形成されている。最上部に位置するコンプレッションリング溝（トップリング溝）にはコンプレッションリング（トップリング）が装着され、該コンプレッションリングは燃焼室の気密保持の役割を担っている。最下部に位置するオイルリング溝にはオイルリングが装着され、該オイルリングはシリンダ内壁面の余剰オイルを掻き落とす役割を担っている。中間部に位置するサポートリング溝（セカンドリング溝）にはサポートリング（セカンドリング）が装着され、該サポートリングはコンプレッションリング及びオイルリングの役割をサポートする。
【０００３】
また、サポートリング溝及びオイルリング溝には、溝底面とピストン内側面とを貫通するオイル排出孔が形成されている。そして、サポートリング及びオイルリングにて掻き落としたシリンダ内壁面の余剰オイルが各溝のオイル排出孔を介してピストン内側面側に排出され、その余剰オイルはピストンの下方に設けられるオイルパンに滴下するようになっている。このように余剰オイルを効率よく回収することで、オイル消費量の低減が図られている。
【特許文献１】実開平６−１４４５５号公報
【発明の開示】
【発明が解決しようとする課題】
【０００４】
ところで、近年の内燃機関では、ピストン内側面、詳しくはスカート部を含む筒状部の内側面に向けてオイルを吹き付けて、該ピストンの冷却効果を高め、ピストンの耐久性を向上させるようにしたものが主流となっている。
【０００５】
そのため、ピストン内側面に吹き付けられるオイルがオイル排出孔を逆流してサポートリング溝及びオイルリング溝側に噴出し、本来オイル消費量の低減を図る目的で設けたオイル排出孔が逆にオイル消費量の悪化を招く要因となっている。
【０００６】
本発明は、上記課題を解決するためになされたものであって、その目的は、リング溝内にオイル排出孔が形成される内燃機関のピストンにおいて、オイル吹き付けによるオイル排出孔内のオイルの逆流を防止し、オイル消費量の低減を図ることにある。
【課題を解決するための手段】
【０００７】
上記課題を解決するために、請求項１に記載の発明は、燃焼室の気密保持を行うためのコンプレッションリングが装着されるコンプレッションリング溝と、シリンダ内壁面の余剰オイルを掻き落とすためのオイルリングが装着されるオイルリング溝と、前記コンプレッションリング及び前記オイルリングの両者の役割をサポートするためのサポートリングが装着されるサポートリング溝とが外周に設けられる円盤状のランド部と、前記ランド部の外周に沿って下方に延出されるスカート部を含む筒状部と、を備えた内燃機関のピストンであって、前記サポートリング溝及び前記オイルリング溝の少なくとも一方の溝内に、前記筒状部外側の前記ランド部の下面側と連通するオイル排出孔が形成され、前記オイル排出孔は、少なくとも前記サポートリング溝に形成されるものであり、前記サポートリング溝の下側内壁面からの前記オイル排出孔の開口幅は、前記サポートリング溝の溝幅よりも小となるように設定されていることをその要旨とする。
【０００８】
請求項２に記載の発明は、請求項１に記載の内燃機関のピストンにおいて、前記ランド部の下面には、前記サポートリング溝及び前記オイルリング溝のうち前記オイル排出孔が形成される溝と連通する縦溝が形成され、該縦溝の形成により前記オイル排出孔が形成されることをその要旨とする。
【０００９】
請求項３に記載の発明は、請求項２に記載の内燃機関のピストンにおいて、前記オイル排出孔は、前記サポートリング溝及び前記オイルリング溝の両方に形成されるものであり、前記縦溝は、前記ランド部の下面から前記オイルリング溝及び前記サポートリング溝に跨って形成されることをその要旨とする。
【００１１】
請求項４に記載の発明は、請求項１〜３のいずれか１項に記載の内燃機関のピストンにおいて、前記サポートリング溝の下側内壁面からの前記オイル排出孔の開口幅は、前記サポートリングの幅よりも小となるように設定されていることをその要旨とする。
【００１２】
（作用）
請求項１に記載の発明によれば、ピストンは外周に複数のリング溝が設けられる円盤状のランド部と該ランド部の外周に沿って下方に延出されるスカート部を含む筒状部とを備えており、複数のリング溝のうちサポートリング溝及びオイルリング溝の少なくとも一方の溝内に、筒状部外側のランド部の下面側と連通するオイル排出孔が形成される。ここで、ピストンをオイルの吹き付けを実施する内燃機関に用いる場合、該ピストンの筒状部内側に対して吹き付けられる。従って、筒状部にてオイル吹き付けの領域から仕切られるため、オイル排出孔にはオイルが吹き付けられなくなり、オイル吹き付けによるオイル排出孔内のオイルの逆流が防止される。
【００１３】
また、オイル排出孔は少なくともサポートリング溝に形成されるものであり、サポートリング溝の下側内壁面からのオイル排出孔の開口幅がサポートリング溝の溝幅よりも小となるように設定される。ここで、サポートリングが燃焼ガスの圧力を受けると、該サポートリングがサポートリング溝の下側内壁面に当接した状態となる。この状態ではオイル排出孔の開口幅がサポートリング溝の溝幅より小としてその開口面積が抑えられていることから、該サポートリングの上面から溝内に進入してくる燃焼ガス等がオイル排出孔からピストンの内側に流れ難くなり、燃焼ガスの燃焼室からの流出が抑制される。これに対し、サポートリングがオイルを掻き落とすときには、該サポートリングがサポートリング溝の上側内壁面に当接した状態となる。この状態ではオイル排出孔が開口されるため、オイル排出孔からオイルの排出が可能となる。つまり、オイルの排出を可能としながらも、燃焼ガスの漏れを好適に抑制できる。
請求項２に記載の発明によれば、ピストンのランド部の下面には、サポートリング溝及びオイルリング溝のうちオイル排出孔が形成される溝と連通する縦溝が形成され、該縦溝の形成によりオイル排出孔が形成される。即ち、このような縦溝はピストンを成形する鋳型に突起を設けることで形成可能である。これにより、オイル排出孔を形成する工程やオイル排出孔を形成する装置（ドリル等）が不要となり、製造コストの低減に寄与できる。
【００１４】
請求項３に記載の発明によれば、オイル排出孔はサポートリング溝及びオイルリング溝の両方に形成されるものであり、縦溝はランド部の下面からオイルリング溝及びサポートリング溝に跨って形成される。即ち、１つの縦溝でサポートリング溝及びオイルリング溝の両方にオイル排出孔を形成でき、縦溝の数を極力低減できる。
【００１６】
請求項４に記載の発明によれば、サポートリング溝の下側内壁面からのオイル排出孔の開口幅がサポートリングの幅よりも小となるように設定される。つまり、オイル排出孔の開口面積がより抑えられていることから、サポートリングの上面から溝内に進入してくる燃焼ガス等がオイル排出孔からピストンの内側に流れることがより一層抑えられる。
【発明の効果】
【００１７】
従って、本発明によれば、リング溝内にオイル排出孔が形成される内燃機関のピストンにおいて、オイル吹き付けによるオイル排出孔内のオイルの逆流を防止し、オイル消費量の低減を図ることができる。
【発明を実施するための最良の形態】
【００１８】
以下、本発明を具体化した一実施の形態を図面に従って説明する。
図１及び図２は、内燃機関に用いられるピストン１０を示している。図１は、リング溝１１〜１３に各リング１４〜１６が装着された状態を示す斜視図であり、図２は、各リング１４〜１６が装着されていない状態を示す斜視図である。
【００１９】
図１及び図２に示すように、ピストン１０は一端が閉塞される円筒状をなしており、該ピストン１０の上部外周には３つのリング溝、即ち最上部に位置するコンプレッションリング溝１１、中間部に位置するサポートリング溝１２、最下部に位置するオイルリング溝１３が形成されている。各リング溝１１〜１３は断面が略矩形状をなしている。
【００２０】
コンプレッションリング溝１１には、コンプレッションリング１４が装着される。コンプレッションリング１４は、燃焼室の気密保持の役割を担っている。オイルリング溝１３には、オイルリング１６が装着される。オイルリング１６は、シリンダ内壁面の余剰オイルを掻き落とす役割を担っている。因みに、このオイルリング１６には、周方向に複数のスリット１６ａが設けられている。サポートリング溝１２には、サポートリング１５が装着される。サポートリング１５は、燃焼室の気密保持を行うコンプレッションリング１４とシリンダ内壁面の余剰オイルの掻き落としを行うオイルリング１６の両者の役割をサポートする。尚、図４に示すように、コンプレッションリング溝１１及びサポートリング溝１２の溝幅（Ｗ０）は略同等で、オイルリング溝１３の溝幅よりも小さく設定されている。
【００２１】
前記ピストン１０について詳述すると、ピストン１０は、上部に位置する円盤状のランド部２１と、該ランド部２１の外周の対向する２箇所において該外周に沿って下方に円弧状に延出される一対のスカート部２２と、対向する各スカート部２２の円弧状の端部同士を直線的に連結する一対のサイドウォール部２３とを有している。ランド部２１の外周には、前記各リング溝１１〜１３が設けられている。
【００２２】
図３に示すように、ピストン１０を下方から見ると、スカート部２２とサイドウォール部２３とで扁平な筒状部を構成しており、この筒状部の内側空間２４にピストン１０と連結するコンロッド（図示略）の先端部分が挿入される。各サイドウォール部２３の中央部にはそれぞれピンボス２３ａが設けられ、各ピンボス２３ａにはサイドウォール部２３を貫通するように連結孔２３ｂが形成されている。そして、各サイドウォール部２３の連結孔２３ｂにはピストンピン（図示略）が嵌挿され各サイドウォール部２３に跨って装着され、該ピストンピンにはコンロッドの先端が回転可能に連結される。
【００２３】
図３及び図４に示すように、ランド部２１の下面において、各サイドウォール部２３の外側には、それぞれ肉抜き部２５が形成されている。肉抜き部２５は、ランド部２１の下面からの深さが、サポートリング溝１２が設けられる位置程度まで凹設されている。肉抜き部２５から外側の周縁部２６には、その肉抜き部２５側の下面からオイルリング溝１３及びサポートリング溝１２に跨るように上方に延びる縦溝２７が形成されている。縦溝２７は、各サイドウォール部２３の外側において２つずつ、合計４つ形成されている。
【００２４】
また、各縦溝２７は、前記サポートリング溝１２と前記オイルリング溝１３とにおいてそれぞれ連通し、その連通した際の溝底面の開口がそれぞれオイル排出孔２８，２９となっている。即ち、図２に示すように、サポートリング溝１２内には、この縦溝２７の形成によるオイル排出孔２８が合計４つ（図２においては、そのうち２つのみ図示）設けられている。また、オイルリング溝１３内には、この縦溝２７の形成によるオイル排出孔２９が合計４つ（図２においては、そのうち２つのみ図示）設けられる。このオイル排出孔２９は、オイルリング溝１３の下側内壁面から上側内壁面まで開口した矩形状をなしている。
【００２５】
一方、サポートリング溝１２内に設けられるオイル排出孔２８は、サポートリング溝１２の下側内壁面から半円状をなしており、上側内壁面までは達していない。即ち、図５に示すように、サポートリング溝１２の幅方向におけるオイル排出孔２８の開口幅Ｗ１は、該溝１２に装着されるサポートリング１５の幅Ｗ２よりも小さくなるように設定されている。つまり、サポートリング１５が燃焼ガスの圧力を受けると、該サポートリング１５がサポートリング溝１２の下側内壁面に当接した状態となる。この状態ではサポートリング１５にてオイル排出孔２８の径方向外側が覆われるため、該サポートリング１５の上面から溝１２内に進入してくる燃焼ガス等がオイル排出孔２８からピストン１０の内側に流れ難くなり、燃焼ガスの燃焼室からの流出が抑制される。これに対し、サポートリング１５がオイルを掻き落とすときには、該サポートリング１５がサポートリング溝１２の上側内壁面に当接した状態となる。この状態ではオイル排出孔２８が開口されるため、オイル排出孔２８からオイルの排出が可能となる。
【００２６】
ここで、図示しないが、ピストン１０を成形する鋳型には肉抜き部２５を形成するための膨出部が設けられており、該膨出部に縦溝２７を形成するための突起を所定位置に設けることで、ピストン１０の成形時に同時に縦溝２７が形成されるようになっている。従って、縦溝２７は、上記のように、周縁部２６の肉抜き部２５側の下面から上方に延びる形状となる。因みに、ピストン１０は鋳型による成形後、該ピストン１０の外周は、各リング溝１１〜１３を含めた所定外形となるまで切削加工がなされ、各リング溝１１〜１３の形成に伴って各縦溝２７と連通し、各オイル排出孔２８，２９が形成されるようになっている。尚、各オイル排出孔２８，２９の開口面積は、縦溝２７の溝幅を変更することで、サポートリング溝１２の溝幅Ｗ０及びオイルリング溝１３の溝幅に左右されることなく調整可能となっている。
【００２７】
また、オイルリング溝１３内には、縦溝２７によるオイル排出孔２９の他に、各スカート部２２側においても３つずつの合計６つ（図２においては、そのうち３つのみ図示）のオイル排出孔３０が設けられている。このオイル排出孔３０は、前記内側空間２４に連通している。尚、このオイル排出孔３０は、オイルリング溝１３に対して径方向からドリルを用いて形成される。この場合、オイルリング溝１３の溝幅はサポートリング溝１２の溝幅Ｗ０よりも大きいので、オイル排出孔３０の形成は比較的容易に行われる。
【００２８】
このようにサポートリング溝１２のオイル排出孔２８及びオイルリング溝１３のオイル排出孔２９，３０は、サポートリング１５及びオイルリング１６にて掻き落としたシリンダ内壁面の余剰オイルを排出するために設けられている。このうちオイル排出孔２８及びオイル排出孔２９は、各溝１２，１３側からの余剰オイルを肉抜き部２５側の縦溝２７へと導き、縦溝２７側に達した余剰オイルは、ピストン１０の下方に設けられるオイルパン（図示略）に滴下する。一方、スカート部２２側に位置するオイル排出孔３０は、溝１３側からの余剰オイルをスカート部２２及びサイドウォール部２３で構成される筒状部の内側面へと導き、該内側面側に達した余剰オイルは、同様にピストン１０の下方に設けられるオイルパン（図示略）に滴下する。
【００２９】
更に、ピストン１０の冷却効果の向上やコンロッドとの連結部分へのオイルの供給等の目的でクランクケース側からオイルの吹き付けが実施される内燃機関に用いる場合、このオイルの吹き付けはピストン１０のランド部２１下面の筒状部内、即ちスカート部２２及びサイドウォール部２３で囲まれてなる内側空間２４内に実施される。従って、サポートリング溝１２のオイル排出孔２８及びオイルリング溝１３のオイル排出孔２９はサイドウォール部２３よりも外側に位置しており該サイドウォール部２３にて仕切られているので、オイルが吹き付けられることはない。これにより、これらオイル排出孔２８，２９では、オイルの吹き付けによるオイルの逆流が防止され、オイル消費量の低減が図られている。
【００３０】
次に、本実施の形態の特徴的な作用効果を記載する。
（１）ピストン１０は円盤状のランド部２１の外周に沿って下方に延出されるスカート部２２とサイドウォール部２３とで構成される筒状部とを備えており、ランド部２１外周のサポートリング溝１２及びオイルリング溝１３の溝内に、筒状部外側のランド部２１の下面側（肉抜き部２５）と連通するオイル排出孔２８，２９が形成される。そして、ピストン１０をオイルの吹き付けを実施する内燃機関に用いる場合、ピストン１０の筒状部の内側空間２４に対して吹き付けられる。従って、筒状部（サイドウォール部２３）にてオイル吹き付けの領域から仕切られるため、オイル排出孔２８，２９にはオイルが吹き付けられなくなり、オイル吹き付けによるオイル排出孔２８，２９内のオイルの逆流を防止することができる。その結果、オイル消費量の低減を図ることができる。
【００３１】
（２）ピストン１０のランド部２１の下面には、サポートリング溝１２及びオイルリング溝１３と連通する縦溝２７が形成され、該縦溝２７の形成によりオイル排出孔２８，２９が形成される。この縦溝２７はピストン１０を成形する鋳型に突起を設けることで形成され、鋳型にて形成したピストン１０の外周に切削加工を施して各リング溝１２，１３を形成することで、各リング溝１２，１３と縦溝２７とが連通し、オイル排出孔２８，２９が形成される。これにより、オイル排出孔２８，２９を形成する工程やオイル排出孔２８，２９を形成する装置（ドリル等）が不要となり、製造コストの低減に寄与することができる。特に、サポートリング溝１２の溝幅Ｗ０はオイルリング溝１３の溝幅よりも小さいので、サポートリング溝１２にオイル排出孔２８をドリル等にて切削して形成する場合、径の小さいドリルが必要となってコストが高くつくため、サポートリング溝１２に対して適用する意義は大きい。
【００３２】
（３）縦溝２７は、ランド部２１の下面からオイルリング溝１３及びサポートリング溝１２に跨って形成される。即ち、１つの縦溝２７でサポートリング溝１２及びオイルリング溝１３の両方にオイル排出孔２８，２９を形成でき、縦溝２７の数を極力低減することができる。
【００３３】
（４）オイル排出孔２８，２９の開口面積の調整は、縦溝２７の溝幅を変更することで行われる。これにより、オイル排出孔２８，２９を形成するリング溝１２，１３の溝幅に左右されることなく、オイル排出孔２８，２９の開口面積、即ちオイルの排出量を容易に調整することができる。またこの場合においても、サポートリング溝１２の溝幅Ｗ０はオイルリング溝１３の溝幅よりも小さいことから、サポートリング溝１２に対して適用する意義は大きい。
【００３４】
（５）サポートリング溝１２に形成されるオイル排出孔２８は、サポートリング溝１２の下側内壁面からのオイル排出孔２８の開口幅Ｗ１がサポートリング１５の幅Ｗ２よりも小となるように設定される。ここで、サポートリング１５が燃焼ガスの圧力を受けると、該サポートリング１５がサポートリング溝１２の下側内壁面に当接した状態となる。この状態ではオイル排出孔２８の開口幅Ｗ１がサポートリング１５の幅Ｗ２より小としてその開口面積が抑えられており、かつオイル排出孔２８の径方向外側が覆われるため、該サポートリング１５の上面から溝内に進入してくる燃焼ガス等がオイル排出孔２８からピストン１０の内側に流れ難くなり、燃焼ガスの燃焼室からの流出を抑制することができる。特に本実施の形態では、サポートリング溝１２の溝幅Ｗ０よりも小さいサポートリング１５の幅Ｗ２より更にオイル排出孔２８の開口幅Ｗ１を小さくしているので、効果大である。これに対し、サポートリング１５がオイルを掻き落とすときには、該サポートリング１５がサポートリング溝１２の上側内壁面に当接した状態となる。この状態ではオイル排出孔２８が開口されるため、オイル排出孔２８からオイルの排出が可能となる。つまり、オイルの排出を可能としながらも、燃焼ガスの漏れを好適に抑制することができる。
【００３５】
尚、本発明の実施の形態は、以下のように変更してもよい。
上記実施の形態では、スカート部２２及びサイドウォール部２３で構成される筒状部外側のランド部２１の下面側と連通するオイル排出孔２８，２９をサポートリング溝１２及びオイルリング溝１３の両方に設けたが、いずれか一方に設けるようにしてもよい。また、オイル排出孔２８，２９の数や位置を適宜変更してもよい。また、筒状部外側のランド部２１の下面側と連通するオイル排出孔２８，２９にてオイル排出量を十分確保できれば、筒状部内側に連通するオイル排出孔３０を廃止してもよい。このようにすれば、リング溝１３へのオイルの逆流を防止でき、オイル消費量の低減に寄与することができる。
【００３６】
上記実施の形態では、縦溝２７を鋳型で形成し、その後のリング溝１２，１３の切削形成によりオイル排出孔２８，２９を形成するようにしたが、縦溝２７を設けず、リング溝１２，１３の切削形成の後に、各リング溝１２，１３にオイル排出孔２８，２９をドリル等にて切削してもよい。
【００３７】
上記実施の形態では、縦溝２７をオイルリング溝１３及びサポートリング溝１２に跨って形成したが、オイルリング溝１３と連通するための縦溝やサポートリング溝１２と連通するための縦溝とというように、各リング溝１２，１３のそれぞれに独立した縦溝を形成するようにしてもよい。
【００３８】
上記実施の形態では、オイル排出孔２８，２９の開口面積、即ちオイル排出量の調整を縦溝２７の溝幅を変更することで行っているが、オイル排出孔２８，２９の孔の数でオイル排出量を調整してもよい。
【００３９】
上記実施の形態では、サポートリング溝１２の下側内壁面からのオイル排出孔２８の開口幅Ｗ１をサポートリング１５の幅Ｗ２よりも小となるように設定したが、例えばオイル排出孔２８の開口幅Ｗ１をサポートリング１５の幅Ｗ２よりも大としてもよい。この場合、オイル排出孔２８の開口幅Ｗ１をサポートリング溝１２の溝幅全体としてもよい。
【００４０】
上記実施の形態では、コンプレッションリング溝１１，サポートリング溝１２及びオイルリング溝１３はそれぞれ１本であったが、２本以上としてもよい。
次に、上記実施の形態及び別例から把握できる技術的思想を以下に追記する。
【００４１】
（イ）  請求項２又は３に記載の内燃機関のピストンの製造方法であって、
ピストンにおけるランド部の下面に縦溝を形成するための突起を鋳型に設け、該鋳型にてピストンを成形する工程と、
前記鋳型にて形成したピストンの外周に切削加工を施して前記各リング溝を形成するとともに、対応する前記リング溝と前記縦溝とを連通させて前記オイル排出孔を形成する工程と、
を備えたことを特徴とする内燃機関のピストンの製造方法。
【００４２】
このようにすれば、オイル排出孔を形成するのに鋳型の形状を若干変更するだけで済み、オイル排出孔を形成する工程やオイル排出孔を形成する装置（ドリル等）が不要となり、製造コストの低減に寄与できる。
【００４３】
（ロ）  上記（イ）に記載の内燃機関のピストンの製造方法において、
前記オイル排出孔の開口面積の調整を、前記縦溝の溝幅の変更で行うことを特徴とする内燃機関のピストンの製造方法。
【００４４】
このようにすれば、オイル排出孔を形成するリング溝の溝幅に左右されることなく、オイル排出孔の開口面積、即ちオイルの排出量を容易に調整できる。
【図面の簡単な説明】
【００４５】
【図１】リングが装着された状態の本実施の形態のピストンを示す斜視図である。
【図２】リングが装着されていない状態のピストンを示す斜視図である。
【図３】ピストンの底面図である。
【図４】ピストンの要部拡大断面図である。
【図５】ピストンの要部拡大断面図である。
【符号の説明】
【００４６】
１０…ピストン、１１…コンプレッションリング溝、１２…サポートリング溝、１３…オイルリング溝、１４…コンプレッションリング、１５…サポートリング、１６…オイルリング溝、２１…ランド部、２２…筒状部を構成するスカート部、２３…筒状部を構成するサイドウォール部、２７…縦溝、２８，２９…オイル排出孔、Ｗ０…溝幅、Ｗ１…開口幅、Ｗ２…幅。
【図１】
0004405441.tif 000002
【図２】
0004405441.tif 000003
【図３】
0004405441.tif 000004
【図４】
0004405441.tif 000005
【図５】
0004405441.tif 000006